(57)【要約】【課題】  保持されているディスク状記録媒体を小さな力で極めて容易に取り外す。【解決手段】  ディスク状記録媒体の中心孔を係止することによりディスク状記録媒体を保持するディスク係止部２１を設ける。ディスク係止部２１に、押下することによりディスク状記録媒体Ｄの中心孔２５への係止を解除する三角形状ボタン２３を設ける。ディスク係止部２１の周囲の内周底板部１６の高さ位置を僅かに高くし、平面上に載置した際に、平面との間に隙間Ｓが形成されるようにする。【選択図】      図３
2005178874.tif 000002
【特許請求の範囲】
【請求項１】
中心孔を有するディスク状記録媒体を収納して保持するディスク収納保持ケースであって、
前記ディスク状記録媒体のディスク収納部が設けられた底板部と、該底板部に形成され、前記ディスク状記録媒体の中心孔を係止することにより前記ディスク状記録媒体を保持するディスク係止部とを有し、
該ディスク係止部は、押下することにより前記ディスク状記録媒体の中心孔への係止を解除するボタンを備え、
前記底板部は、少なくとも前記ディスク係止部の周囲における前記底板部の高さ位置が僅かに高くされていることを特徴とするディスク収納保持ケース。
【請求項２】
前記底板部には、中心孔が前記ディスク係止部に係止された前記ディスク状記録媒体の外周縁を支持する円環状のディスク外周縁支持部が設けられ、
前記底板部は、前記ディスク外周縁支持部の内周側が内周底板部とされ、該内周底板部の高さ位置が僅かに高くされていることを特徴とする請求項１に記載のディスク収納保持ケース。
【請求項３】
前記底板部は、前記ディスク外周縁支持部の外周側が外周底板部とされ、該外周底板部の裏面に、台紙が密着されていることを特徴とする請求項２に記載のディスク収納保持ケース。
【発明の詳細な説明】
【技術分野】
【０００１】
本発明は、ディスク状記録媒体を収納保持するためのディスク収納保持ケースに関する。
【背景技術】
【０００２】
ディスク状記録媒体としては、ＣＤ−ＲＯＭ，ＣＤ−Ｒ，ＣＤ−ＲＷ，ＤＶＤ−ＲＯＭ，ＤＶＤ−Ｒ，ＤＶＤ−ＲＷ，ＤＶＤ−ＲＡＭなどがある。これらのディスク状記録媒体は、記録面が外部に露出しており、埃や傷が付くことを防止するために、不使用時にはディスク収納保持ケース内に収納されている。
【０００３】
一般に、ディスク収納保持ケースは、底部と蓋部とから構成され、底部に、ディスク状記録媒体が保持される。この底部には、ディスク状記録媒体の中心孔を係止する爪部を有するボタンが底部から立ち上げられて設けられ、このボタンにディスク状記録媒体の中心孔を嵌め込むことにより、ディスク状記録媒体が底部に保持され、この状態にて蓋部を閉じることにより、ディスク状記録媒体が収納保持ケース内に保持された状態にて収納される。そして、蓋部を開いた状態にて、ボタンを押下することにより、ボタンの爪部がディスク状記録媒体の中心孔の縁部から外れ、ディスク状記録媒体が取り出されるようになっている。
【０００４】
また、この種のディスク収納保持ケースとしては、底板部から突出形成された３つの支持腕部と、この支持腕部により支持された三角形状ボタンとを有するディスク係止部を備えたものが知られている（例えば、特許文献１参照）。
このディスク収納保持ケースでは、三角形ボタンを押下することにより、この三角形ボタンと支持腕部との間の溝が縮小することにより、ディスク状記録媒体の取り出しを容易に行うことができるようになっている。
【特許文献１】特開２００２−２９３３９２号公報
【発明の開示】
【発明が解決しようとする課題】
【０００５】
ところで、上記ディスク収納保持ケースは、三角形ボタンと支持腕部との間の溝が縮小することにより、以前のものに比べディスク状記録媒体の取り外しをかなり容易に行うことができるが、依然として三角形ボタンを強く押下しなければならず、取り外し作業のさらなる容易化が望まれている。
【０００６】
本発明は、上記事情に鑑みてなされたもので、保持されているディスク状記録媒体を小さな力で極めて容易に取り外すことが可能なディスク収納保持ケースを提供することを目的としている。
【課題を解決するための手段】
【０００７】
上記目的を達成するために、本発明のディスク収納保持ケースは、中心孔を有するディスク状記録媒体を収納して保持するディスク収納保持ケースであって、前記ディスク状記録媒体のディスク収納部が設けられた底板部と、該底板部に形成され、前記ディスク状記録媒体の中心孔を係止することにより前記ディスク状記録媒体を保持するディスク係止部とを有し、該ディスク係止部は、押下することにより前記ディスク状記録媒体の中心孔への係止を解除するボタンを備え、前記底板部は、少なくとも前記ディスク係止部の周囲における前記底板部の高さ位置が僅かに高くされていることを特徴とする。
【０００８】
また、本発明は、前記底板部に、中心孔が前記ディスク係止部に係止された前記ディスク状記録媒体の外周縁を支持する円環状のディスク外周縁支持部が設けられ、前記底板部は、前記ディスク外周縁支持部の内周側が内周底板部とされ、該内周底板部の高さ位置が僅かに高くされていることが好ましい。
【０００９】
さらに、本発明は、前記底板部が、前記ディスク外周縁支持部の外周側が外周底板部とされ、該外周底板部の裏面に、台紙が密着されていることが望ましい。
【発明の効果】
【００１０】
本発明のディスク収納保持ケースによれば、ディスク係止部が設けられた底板部の高さ位置が僅かに高くされ、ケースを平面上に載置した際に、平面から僅かに浮いた状態とされ、平面との間に隙間が形成されるので、ディスク状記録媒体の係止を解除するボタンを押下してディスク状記録媒体をケースから取り外す際に、底板部が隙間の範囲内にて撓むことより、小さな力にて、極めて容易に無理なくボタンを押下することができ、ディスク状記録媒体の取り外しの容易化を図ることができる。
【発明を実施するための最良の形態】
【００１１】
以下、本発明を実施するための最良の形態について、図面を参照して説明する。
図１は、本実施形態に係るディスク収納保持ケースの平面図、図２は、ディスク収納保持ケースの断面図、図３は、ディスク収納保持ケースの一部を拡大視した断面図、図４は、ディスク状記録媒体を収納した状態のディスク収納保持ケースの平面図である。
図に示すように、ディスク収納保持ケース（以下、ケースと称す）１０は、底部１１と、図示しない蓋部とを備えており、底部１１にディスク状記録媒体Ｄが保持される。
【００１２】
底部１１は、平面視矩形状に形成され、その内部に、平面視円形に形成されたディスク収納部１２を有している。
ディスク収納部１２の外周側には、底部１１を平面上に載置した際に、その平面に当接する外周底板部１３を有している。
【００１３】
ディスク収納部１２は、環状のディスク外周縁支持部１４を有している。このディスク外周縁支持部１４は、周方向へわたって上方へ突出した円環状の突条からなるもので、このディスク外周縁支持部１４上に、ディスク収納部１２に保持されるディスク状記録媒体Ｄの外周縁が支持される。
【００１４】
また、このディスク外周縁支持部１４は、段部１５を有しており、ディスク外周縁支持部１４上に支持されたディスク状記録媒体Ｄの外周縁が、段部１５によって保持されて位置決めされる。
【００１５】
ディスク収納部１２は、ディスク外周縁支持部１４の内側における底板部である内周底板部１６が、ディスク収納部１２の外周側における底板部である外周底板部１３よりも高さ位置が高くされている。これにより、底部１１を平面上に載置して外周底板部１３を平面上に当接させた際に、ディスク収納部１２内の内周底板部１６が平面から浮いた状態とされ、平面との間に僅かな隙間Ｓが形成される。
【００１６】
ディスク収納部１２は、その中心位置に、ディスク係止部２１を有している。ここで、このディスク係止部２１について説明する。
ディスク係止部２１は、内周底板部１６からそれぞれ突出形成されかつ上下方向に弾性変形可能な３つの支持腕部２２と、３つの支持腕部２２により支持された三角形状ボタン２３とを有している。
【００１７】
各支持腕部２２の中心側先端部には、ディスク状記録媒体Ｄの中心孔２４の内周縁に係合する係合部２６が形成されている。各支持腕部２２と三角形状ボタン２３との間には、三角形状ボタン２３の各辺を対向させて成る溝２７が形成されている。溝２７の底部は、三角形状ボタン２３と係合部２６とを接続する弾性変形可能な概略Ｖ字状の薄肉部材２８とされている。
【００１８】
係合部２６は、ディスク状記録媒体Ｄの中心孔２５を形成する内側端面に当接する当接部２９と、当接部２９の上部からディスク状記録媒体Ｄの半径方向外側に突出形成されかつ中心孔２５の内周縁の上面を係合保持する爪部３１とを備えている。なお、支持腕部２２は、爪部３１の下方位置に、貫通孔３２を有している。
【００１９】
次に、上記の構成からなるケース１０の作用について説明する。
まず、ケース１０にディスク状記録媒体Ｄを収納する場合について説明する。
ケース１０にディスク状記録媒体Ｄを収納する場合には、ディスク状記録媒体Ｄの中心孔２５の内周縁が３つの係合部２６に均等に当接するようにディスク状記録媒体Ｄを載置する。次に、ディスク状記録媒体Ｄの上面に対して、上方から力を加えることで、各爪部３１がディスク状記録媒体Ｄの内側端面に沿って上向きに摺動する。さらにディスク状記録媒体Ｄを押し込むことで、ディスク状記録媒体Ｄの上面側における中心孔２５の縁部が爪部３１に係止され、このディスク状記録媒体Ｄがケース１０の底部１１に保持される。その後、蓋部を閉じて底部１１に合わせることにより、ケース１０内にディスク状記録媒体Ｄが保持された状態に収納される。
【００２０】
次に、ケース１０からディスク状記録媒体Ｄを取り出す場合について説明する。
ケース１０の蓋部を開いた状態にて、底部１１を平面上に載置し、三角形状ボタン２３を下向きに押す。このようにすると、図５に示すように、三角形状ボタン２３と各支持腕部２２との間にそれぞれ形成された３つの溝２７が縮小して、各係合部２６が三角形状ボタン２３側に接近するとともに、爪部３１がディスク状記録媒体Ｄの上面から外れ、その後、爪部３１がディスク状記録媒体Ｄの内側端面を下向きに摺動する。
【００２１】
この際、ディスク状記録媒体Ｄは、その外周面がディスク外周縁支持部１４の段部１５により一定高さに保持されていることから、ディスク状記録媒体Ｄの中心孔２５の内周縁は、爪部３１とともに下がることはない。このため、三角形状ボタン２３及び係合部２６が中心孔２５内を通過し、ディスク状記録媒体Ｄがケース１０から取り出される。
【００２２】
ここで、ディスク係止部２１が形成された内周底板部１６は、このケース１０を平面上に載置した際に、平面から僅かに浮いた状態とされ、平面との間に隙間Ｓが形成される。したがって、三角形状ボタン２３を押下してディスク状記録媒体Ｄをケース１０から取り外す際に、内周底板部１６が隙間Ｓの範囲内にて撓むことより、三角形状ボタン２３は、小さな力にて、極めて容易に無理なく押下される。
【００２３】
このように、上記実施形態に係るディスク収納保持ケース１０によれば、ディスク係止部２１が形成された内周底板部１６の高さ位置が僅かに高くされ、ケース１０を平面上に載置した際に、平面から僅かに浮いた状態とされ、平面との間に隙間Ｓが形成されるので、ディスク状記録媒体Ｄの係止を解除する三角形状ボタン２３を押下してディスク状記録媒体Ｄをケースから取り外す際に、内周底板部１６が隙間Ｓの範囲内にて撓むことより、小さな力にて、極めて容易に無理なく三角形状ボタン２３を押下することができ、ディスク状記録媒体Ｄの取り外しの容易化を図ることができる。
【００２４】
なお、ケース１０の底部１１を透明にし、底部１１の裏面に文字図柄が描かれた台紙を設けることが行われているが、本実施形態のケース１０では、底部１１における内周底板部２１の高さ位置だけが上方へ僅かに上げられているので、ケース１０の底部１１の裏面に台紙を密着させて貼り付けることができる。そして、このように外周底板部１３に台紙を密着させることにより、台紙の文字や図柄を見やすくすることができる。
【００２５】
なお、上記の実施形態では、内周底板部１６の全体の高さ位置を僅かに高くし、平面上との間に隙間Ｓが形成されるようにしたが、高さ位置を高くするのは、内周底板部１６に限定されず、内周底板部１６とともに内周底板部１６の周囲の外周底板部１３の一部の高さ位置を高くしても良い。
また、内周底板部１６全体の高さ位置を高くすることなく、少なくともディスク係止部２１の周囲の高さ位置を高くしてもディスク状記録媒体Ｄを取り外し易くすることができる。
【図面の簡単な説明】
【００２６】
【図１】本発明の本実施形態に係るディスク収納保持ケースの平面図である。
【図２】ディスク収納保持ケースの断面図である。
【図３】ディスク収納保持ケースの一部を拡大視した断面図である。
【図４】ディスク状記録媒体を収納した状態のケースの平面図である。
【図５】ケースからディスク状記録媒体を取り外す際のケースの動きを説明する断面図である。
【符号の説明】
【００２７】
１０  ディスク収納保持ケース          １１  底部
１２  ディスク収納部                  １３  外周底板部
１４  ディスク外周縁支持部            １６  内周底板部
２１  ディスク係止部                  ２３  三角形状ボタン（ボタン）
２５  中心孔                          Ｄ  ディスク状記録媒体
【図１】
2005178874.tif 000003
【図２】
2005178874.tif 000004
【図３】
2005178874.tif 000005
【図４】
2005178874.tif 000006
【図５】
2005178874.tif 000007